(57)【特許請求の範囲】
【請求項１】
一辺部に配列された複数の半導体チップ搭載領域を有する表示パネルと、該表示パネルの前記各半導体チップ搭載領域に搭載された複数の半導体チップと、前記表示パネルの一辺部であって前記半導体チップ搭載領域の外側に接合されたフレキシブル配線基板とを備えた表示装置において、前記複数の半導体チップ搭載領域の中、一端側に対応する半導体チップ搭載領域に対応して、前記表示パネルの一辺部に沿って、信号入力用配線の一端部と電源線の一端部とを前記表示パネルの一辺部と垂直な方向に延出して配列し、他の半導体チップ搭載領域に対応して電源線の一端部を設け、前記信号入力用配線を、信号入力用配線の一端部から前記各半導体チップ搭載領域内を通過するように設け、前記各電源線を、前記電源線の一端部から前記半導体チップ搭載領域内に設けられた電源接続端子および該電源接続端子を通過して前記半導体チップ搭載領域外に延出された他端部を有する形状とし、前記フレキシブル配線基板の前記表示パネルと対応する面に、前記信号入力用配線の一端部に接続される接続端子、前記電源線の一端部に接続される接続端子および前記電源線の他端部と隣接の電源線の一端部とを接続する電源用中継配線を設けたことを特徴とする表示装置。
【発明の詳細な説明】
【０００１】
【発明の属する技術分野】
この発明は液晶表示装置等の表示装置に関する。
【０００２】
【従来の技術】
図５は従来の液晶表示装置の一例の平面図を示したものである。この液晶表示装置はアクティブマトリクス型の液晶表示パネル１を備えている。液晶表示パネル１は、下ガラス基板２と上ガラス基板３とがシール材（図示せず）を介して貼り合わされ、その間に液晶（図示せず）が封入されたものからなっている。この場合、下ガラス基板２の下辺部および右辺部は上ガラス基板３から突出されている。
【０００３】
下ガラス基板２の下側の突出部２ａの上面の所定の４箇所に直列的に設けられた半導体チップ搭載領域２１（図６（ａ）参照）には半導体チップ４が異方性導電接着剤（図示せず）を介して搭載されている。下ガラス基板２の右側の突出部２ｂの上面の所定の箇所に設けられた半導体チップ搭載領域には半導体チップ５が異方性導電接着剤（図示せず）を介して搭載されている。半導体チップ４、５は、液晶駆動用のＬＳＩ等からなっている。
【０００４】
下ガラス基板２の上面において二点鎖線で囲まれた表示領域６には、図示していないが、複数の走査線が行方向（図５の紙面左右方向）に延びて設けられているとともに、複数の信号線が列方向（図５の紙面上下方向）に延びて設けられている。走査線の右端部は、下ガラス基板２の上面の所定の箇所に設けられた出力配線７を介して右側の半導体チップ５に接続されている。したがって、右側の半導体チップ５は複数の走査線に電圧を供給する走査線駆動用のものである。信号線の下端部は、下ガラス基板２の上面の所定の４箇所に設けられた出力配線８を介して下側の半導体チップ４に接続されている。したがって、下側の半導体チップ４は複数の信号線に電圧を供給する信号線駆動用のものである。
【０００５】
下ガラス基板２の下側の突出部２ａの上面において半導体チップ４搭載領域の外側にはフレキシブル配線基板１１の一端部下面が異方性導電接着剤（図示せず）を介して接合されている。フレキシブル配線基板１１と下側の半導体チップ４とは、下ガラス基板２の下側の突出部２ａおよびその近傍の上面の所定の４箇所に設けられた入力配線１２を介して接続されている。フレキシブル配線基板１１と右側の半導体チップ５とは、下ガラス基板２の右側の突出部２ｂおよびその近傍の上面の所定の箇所に設けられた入力配線１３を介して接続されている。
【０００６】
次に、図６（ａ）は図５に示す液晶表示パネル１の右下部の一部の分解した状態における透過拡大平面図を示したものである。下ガラス基板２の下側の突出部２ａの上面において一点鎖線で囲まれた領域２１は、半導体チップ４が搭載される半導体チップ搭載領域である。入力配線１２は信号入力用配線と電源用配線とからなっている。信号入力用配線は、半導体チップ搭載領域２１内の右上部に設けられた複数の信号入力用接続端子１２ａ（図７（ｂ）参照）と、これらの信号入力用接続端子１２ａから半導体チップ搭載領域２１の右側において下ガラス基板２の下側の突出端近傍まで延ばされた複数の信号入力線１２ｂとからなっている。電源用配線は、半導体チップ搭載領域２１内の右下部に設けられた４つの電源用接続端子１２ｃ（図７（ｂ）参照）と、これらの電源用接続端子１２ｃから半導体チップ搭載領域２１の右下側において下ガラス基板２の下側の突出端近傍まで延ばされた４つの電源線１２ｄとからなっている。
【０００７】
ここで、信号入力用配線および電源用配線はＩＴＯ等の透明金属によって形成されている。そして、電源用配線を信号入力用配線に比較して幅広に形成しているのは、電源用配線には信号入力用配線よりも大きな電流が流れるので、その配線抵抗を低くするためである。なお、入力配線１３およびその近傍に設けられたクロス用配線１４については、その詳細な説明を省略する。
【０００８】
フレキシブル配線基板１１は、図５に示すように、帯状部２２ａおよびこの帯状部２２ａの下辺の所定の箇所から突出された突出部２２ｂを有するフィルム２２を備えている。そして、図６（ｂ）の透過拡大平面図に図示される如く、フィルム２２の帯状部２２ａの下面の各所定の箇所には、４組の入力配線１２の信号入力線１２ｂおよび電源線１２ｄに接続される４組の接続端子２３ａ、２３ｂ、１組の入力配線１３に接続される１組の接続端子２４およびクロス用配線１４に接続される接続端子２５が設けられている。
【０００９】
図５および図６（ｂ）において、一番右側の１組の接続端子２３ａ、２３ｂおよび接続端子２４、２５は、フィルム２２の突出部２２ｂの突出端部下面に設けられた接続端子（図示せず）に、フィルム２２の帯状部２２ａおよび突出部２２ｂの下面に設けられた引き回し線（図示せず）を介して接続されている。一方、残りの３組の接続端子２３ａ、２３ｂは、図示しないスルーホールおよびフィルム２２の上面に上記接続端子２３ａ、２３ｂを横断して形成された中継配線を介して上記一番右側の１組の接続端子２３ａ、２３ｂの各対応する接続端子に接続されている。すなわち、フレキシブル配線基板１１は、接続端子２４、２５と４組の接続端子２３ａ、２３ｂが下面に形成され、一番右側の１組の接端子２３ａ、２３ｂと残りの３組の接端子２３ａ、２３ｂとを接続する中継配線が上面に形成された両面配線基板となされているものであり、４組の接続端子２３ａ、２３ｂはフィルム２２の帯状部２２ａの下面に並列的に設けられ、そのうちの所定の１組はフィルム２２の帯状部２２ａの下面に設けられた引き回し線に直接接続され、残りの３組はスルーホール等を介して上記引き回し線に接続されているのである。
【００１０】
次に、７（ａ）は図６（ａ）に示す液晶表示パネル１の半導体チップ搭載領域２１に搭載される半導体チップ４の端子位置を示すための透過拡大平面図、図７（ｂ）は図６（ａ）に示す液晶表示パネル１の半導体チップ搭載領域２１の拡大平面図である。半導体チップ搭載領域２１内の上辺部には出力配線８の一端部からなる出力用接続端子８ａが設けられている。半導体チップ４の下面の右上部には複数の信号入力用バンプ電極３１が設けられ、右下部には４組の電源用バンプ電極３２が設けられ、上辺部には複数の出力用バンプ電極３３が設けられ、下辺部には複数のダミーバンプ電極３４が設けられている。上記において、電源用バンプ電極３２は、一対毎に図示しないパターンで接続されており、各１組が１本の電源線１２ｄに対応している。
【００１１】
そして、半導体チップ４を半導体チップ搭載領域２１に異方性導電接着剤を介して搭載した状態では、半導体チップ４の信号入力用バンプ電極３１、電源用バンプ電極３２および出力用バンプ電極３３は、液晶表示パネル１の信号入力用接続端子１２ａ、電源用接続端子１２ｃおよび出力用接続端子８ａに接続されている。ダミーバンプ電極３４は、半導体チップ４を半導体チップ搭載領域２１に異方性導電接着剤を介して熱圧着して搭載するときの圧力が半導体チップ４下の異方性導電接着剤に均一に加わるようにするためのものである。
【００１２】
【発明が解決しようとする課題】
ところで、従来のこのような液晶表示装置におけるフレキシブル配線基板１１では、フィルム２２の帯状部２２ａの下面に４組の接続端子２３ａ、２３ｂを並列的に設け、所定の３組の接続端子２３ａ、２３ｂをスルーホール等を介して、フィルム２２の帯状部２２ａの下面に設けられた共通の引き回し線に接続しているので、フィルム２２の帯状部２２ａの幅が大きくなり、ひいては全体の占有面積が大きくなり、その上、スルーホールを有する両面配線の複雑な構造となり、したがってコスト高になってしまうという問題があった。
この発明の課題は、フレキシブル配線基板の占有面積を小さくし、且つ、片面配線の簡単な構造とすることである。
【００１３】
【課題を解決するための手段】
この発明は、一辺部に配列された複数の半導体チップ搭載領域を有する表示パネルと、該表示パネルの前記各半導体チップ搭載領域に搭載された複数の半導体チップと、前記表示パネルの一辺部であって前記半導体チップ搭載領域の外側に接合されたフレキシブル配線基板とを備えた表示装置において、前記複数の半導体チップ搭載領域の中、一端側に対応する半導体チップ搭載領域に対応して、前記表示パネルの一辺部に沿って、信号入力用配線の一端部と電源線の一端部とを前記表示パネルの一辺部と垂直な方向に延出して配列し、他の半導体チップ搭載領域に対応して電源線の一端部を設け、前記信号入力用配線を、信号入力用配線の一端部から前記各半導体チップ搭載領域内を通過するように設け、前記各電源線を、前記電源線の一端部から前記半導体チップ搭載領域内に設けられた電源接続端子および該電源接続端子を通過して前記半導体チップ搭載領域外に延出された他端部を有する形状とし、前記フレキシブル配線基板の前記表示パネルと対応する面に、前記信号入力用配線の一端部に接続される接続端子、前記電源線の一端部に接続される接続端子および前記電源線の他端部と隣接の電源線の一端部とを接続する電源用中継配線を設けたものである。
【００１４】
【発明の実施の形態】
図１はこの発明の一実施形態における液晶表示装置の平面図、図２（ａ）は図１に示す液晶表示パネルの右下部の一部の分解した状態における透過拡大平面図、図２（ｂ）は図２（ａ）の液晶表示パネルの領域に対応する部分のフレキシブル配線基板の透過拡大平面図、図３（ａ）は図１に示す液晶表示パネルの右下部の図２（ａ）とは異なる一部の分解した状態における透過拡大平面図、図３（ｂ）は図３（ａ）の液晶表示パネルの領域に対応する部分のフレキシブル配線基板の透過拡大平面図、図４（ａ）は図２（ａ）に示す液晶表示パネルの半導体チップ搭載領域に搭載される半導体チップの端子位置を示すための透過拡大平面図、図４（ｂ）は図２（ａ）に示す液晶表示パネルの半導体チップ搭載領域の拡大平面図を示したものである。これらの図において、図５〜図７と同一名称部分には同一の符号を付し、その説明を適宜省略する。
【００１５】
この実施形態における液晶表示パネル１の半導体チップ４に入力される入力配線のうち信号入力用配線４１は、図４（ｂ）に示すように、半導体チップ搭載領域２１内の右上部に設けられた複数の電極接続端子４２ａを有する。そして、図２（ａ）において右端側の半導体チップ搭載領域２１についてみると、当該半導体チップ搭載領域２１内に設けられた電極接続端子４２ａから当該半導体チップ搭載領域２１の右側において下ガラス基板２の下側の突出端近傍まで延びる信号入力用端子４２ｂが設けられている。次に、相隣接する半導体チップ搭載領域２１についてみると、右側の半導体チップ搭載領域２１内に設けられた電極接続端子４２ａと左側の半導体チップ搭載領域２１内に設けられた電極接続端子４２ａとを接続する信号入力用中継配線４３が、右側の半導体チップ搭載領域２１内および右側の半導体チップ搭載領域２１と左側の半導体チップ搭載領域２１との間に設けられている。つまり、信号入力用配線４１は、各半導体チップ４の信号入力用の電極を共通に接続するよう下ガラス基板２に形成されており、この場合、各半導体チップ搭載領域２１においては、ほぼその全長に亘りその幅内に収まるように配線され、半導体チップ搭載領域２１間では、後述する電源用配線を表示領域６側に迂回する信号入力用中継配線４３として配線されている。
【００１６】
上記入力配線のうち電源用配線は、図４（ｂ）に示すように、半導体チップ搭載領域２１内の右側に設けられた４つの電源用接続端子４４と、図４（ｂ）において最も下側の電源用接続端子４４から下側に向かって下ガラス基板２の下側の突出端近傍まで延ばされた電源線４５と、残りの３つの電源用接続端子４４から右下側に向かって下ガラス基板２の下側の突出端近傍まで延ばされた電源線４６と、残りの３つの電源用接続端子４４から左下側に向かって下ガラス基板２の下側の突出端近傍まで延ばされた電源線４７とからなっている。ただし、この場合、図１において最も左側の半導体チップ搭載領域２１についてみると、図３（ａ）に示すように、電源線４７は設けられていない。また、所定の電源線の先端部はほぼＬ字状となっているが、他の電源線と同様に、直線状としてもよい。なお、図４（ａ）に示すように、半導体チップ４の下面の右側に４組の電源用バンプ電極３２が設けられている。
【００１７】
フレキシブル配線基板１１は、図１に示すように、幅狭の帯状部２２ａおよびこの帯状部２２ａの下辺の所定の箇所から突出された突出部２２ｂを有するフィルム２２を備えている。そして、図２（ｂ）に示すように、フィルム２２の帯状部２２ａの下面の右側の各所定の箇所には、右側の電源線４５、４６、信号入力用端子４２ｂ、クロス用配線１４および入力配線１３に接続される接続端子５１〜５５が設けられている。これらの接続端子５１〜５５は、フィルム２２の突出部２２ｂの突出端部下面に設けられた接続端子（図示せず）に、フィルム２２の帯状部２２ａおよび突出部２２ｂの下面に設けられた引き回し線５６を介して接続されている。
【００１８】
フィルム２２の帯状部２２ａの下面の他の各所定の箇所には、電源線４５、４６、４７（ただし、図２（ａ）の右側の電源線４５、４６を除く）に接続される接続端子５７、５８、５９が設けられている。このうち接続端子５７は、フィルム２２の帯状部２２ａの下面に設けられた電源用中継配線６１を介して、接続端子５１に接続された引き回し線５６に接続されている。左側の接続端子５８と右側の接続端子５９は、フィルム２２の帯状部２２ａの下面に設けられた電源用中継配線６２を介して互いに接続されている。
【００１９】
次に、フレキシブル配線基板１１の一端部下面を下ガラス基板２の下側の突出部２ａの上面において半導体チップ搭載領域２１の外側に異方性導電接着剤（図示せず）を介して接合した状態の一部について説明する。フレキシブル配線基板１１の接続端子５３は、信号入力用端子４２ｂを介して図２（ａ）の右側の半導体チップ搭載領域２１内の電極接続端子４２ａに接続され、さらにその左側の信号入力用中継配線４３を介してその左側の半導体チップ搭載領域２１内の電極接続端子４２ａに接続され、さらに同様にして、残りの２つの半導体チップ搭載領域２１内の電極接続端子４２ａに接続されている。
【００２０】
フレキシブル配線基板１１の接続端子５１、５７は、電源線４５を介して半導体チップ搭載領域２１内の図４（ｂ）において最も下側の電源用接続端子４４に接続されている。すなわち、図２（ａ）において右側の半導体チップ搭載領域２１内の図４（ｂ）において最も下側の電源用接続端子４４は、電源線４５および接続端子５１を介して、接続端子５１に接続された引き回し線５６に接続されている。残りの３つの半導体チップ搭載領域２１内の図４（ｂ）において最も下側の電源用接続端子４４は、電源線４５、接続端子５７および電源用中継配線６１を介して、接続端子５１に接続された引き回し線５６に接続されている。
【００２１】
フレキシブル配線基板１１の接続端子５２は、図２（ａ）の右側の電源線４６を介して図２（ａ）の右側の半導体チップ搭載領域２１内の残りの３つの電源用接続端子４４に接続され、さらにその左側の電源線４７、接続端子５９、電源用中継配線６２、接続端子５８および電源線４６を介して、その左側の半導体チップ搭載領域２１内の残りの３つの電源用接続端子４４に接続され、さらに同様にして、残りの２つの半導体チップ搭載領域２１内の残りの３つの電源用接続端子４４に接続されている。すなわち、４つの半導体チップ搭載領域２１内の残りの３つの電源用接続端子４４は、最終的には、図２（ａ）の右側の電源線４６および接続端子５２を介して、接続端子５２に接続された引き回し線５６に接続されている。
【００２２】
このように、この液晶表示装置では、液晶表示パネル１の４つの半導体チップ搭載領域２１内の各右側およびその各近傍に電源用接続端子４４を含む電源線４５、４６、４７を設け、フレキシブル配線基板１１のフィルム２２の帯状部２２ａの下面に、液晶表示パネル１の各半導体チップ搭載領域２１に対して設けられた電源線４５、４６、４７のうち相隣接するもの同士（４５と４５および４６と４７）を接続する電源用中継配線６１、６２を設けている。そして、これにより、液晶表示パネル１の４つの半導体チップ搭載領域２１内の各右側に設けられた電源用接続端子４４のうち図４（ｂ）の上側の３つの電源用接続端子４４を直列的に接続し、残りの１つの電源用接続端子４４を並列的に接続している。この結果、フレキシブル配線基板１１のフィルム２２の帯状部２２ａの下面の左側には接続端子５７、５８、５９および電源用中継配線６１、６２を設ければよく、フィルム２２の帯状部２２ａの幅が小さくなり、フレキシブル配線基板１１の占有面積を小さくすることができ、また片面配線の簡単な構造とすることができ、ひいてはフレキシブル配線基板１１のコストを低減することができる。
【００２３】
また、この液晶表示装置では、液晶表示パネル１の下ガラス基板２の下側の突出部２ａの上面に信号入力用中継配線４３を設けているが、この信号入力用中継配線４３を半導体チップ搭載領域２１内に設けているので、下ガラス基板２の下側の突出部２ａの幅（額縁の幅）が大きくならないようにすることができる。
【００２４】
なお、上記実施形態では、液晶表示パネル１の４つの半導体チップ搭載領域２１内の各右側に設けられた電源用接続端子４４のうち図４（ｂ）の最も下側の電源用接続端子４４を並列的に接続しているが、これに限らず、この電源用接続端子４４も残りの３つの電源用接続端子４４と同様に直列的に接続するようにしてもよい。また、上記実施形態では、信号入力用中継配線４３を液晶表示パネル１に設けているが、これに限らず、電源用中継配線６１、６２等の場合と同様に、フレキシブル配線基板１１のフィルム２２の帯状部２２ａの下面に設けるようにしてもよい。
【００２５】
以上説明した通り、この発明によれば、フレキシブル配線基板の表示パネルと対応する面に、表示パネルに形成された信号入力用配線の一端部に接続される接続端子、電源線の一端部に接続される接続端子および電源線の他端部と隣接の電源線の一端部とを接続する電源用中継配線を設けるようにしたので、フレキシブル配線基板の占有面積を小さくすることができ、また片面配線の簡単な構造とすることができ、ひいてはフレキシブル配線基板のコストを低減することができる。
【図面の簡単な説明】
【図１】この発明の一実施形態における液晶表示装置の平面図。
【図２】（ａ）は図１に示す液晶表示パネルの右下部の一部の分解した状態における透過拡大平面図、（ｂ）は図２（ａ）の液晶表示パネルの領域に対応する部分のフレキシブル配線基板の透過拡大平面図。
【図３】（ａ）は図１に示す液晶表示パネルの右下部の図２（ａ）とは異なる一部の分解した状態における透過拡大平面図、（ｂ）は図３（ａ）の液晶表示パネルの領域に対応する部分のフレキシブル配線基板の透過拡大平面図。
【図４】（ａ）は図２（ａ）に示す液晶表示パネルの半導体チップ搭載領域に搭載される半導体チップの端子位置を示すための透過拡大平面図、（ｂ）は図２（ａ）に示す液晶表示パネルの半導体チップ搭載領域の拡大平面図。
【図５】従来の液晶表示装置の一例を示す平面図。
【図６】（ａ）は図５に示す液晶表示パネルの右下部の一部の分解した状態における透過拡大平面図、（ｂ）は図６（ａ）の液晶表示パネルの領域に対応する部分のフレキシブル配線基板の透過拡大平面図。
【図７】（ａ）は図６（ａ）に示す液晶表示パネルの半導体チップ搭載領域に搭載される半導体チップの端子位置を示すための透過拡大平面図、（ｂ）は図６（ａ）に示す液晶表示パネルの半導体チップ搭載領域の拡大平面図。
【符号の説明】
１  液晶表示パネル
２  下ガラス基板
２ａ  突出部
４  半導体チップ
１１  フレキシブル配線基板
２２  フィルム
２２ａ  帯状部
２２ｂ  突出部
４１  信号入力用配線
４２ａ  電極接続端子
４２ｂ  信号入力用端子
４３  信号入力用中継配線
４４  電源用接続端子
４５、４６、４７  電源線
５１、５２、５３  接続端子
５７、５８、５９  接続端子
６１、６２  電源用中継配線
【図１】
0003580207.tif 000002
【図２】
0003580207.tif 000003
【図３】
0003580207.tif 000004
【図４】
0003580207.tif 000005
【図５】
0003580207.tif 000006
【図６】
0003580207.tif 000007
【図７】
0003580207.tif 000008